(57)【要約】      （修正有）【課題】公共交通機関の車内における空間を有効に利用し、広告効果を高めて商品の購買意欲を高め、販売促進に効果的な広告物を提供する。【解決手段】電車・バス等の吊革取付パイプ１等のパイプに取り付けられ、持ち帰りを可能とする取付部材を備えた広告物である。取付部材である掴持部材８は、シートか厚紙等で形成され、上部側に二股上の掴持片８ａ，８ｂが設けられ、下部側に連接部材９との連結部８ｅを形成されている。掴持片は、前記パイプの外径に等しい略円形の保持穴８ｃと、細幅の挿通部８ｄを開設することにより形成されている。連接部材は、広告物６の吊り下げ高さを調節可能な長さを有し、厚手のビニール等で形成され、両端部同士が着脱可能とされている。広告物は、連接部材を介して掴持部材に連結される。【選択図】図２
0003109038.tif 000002
【実用新案登録請求の範囲】
【請求項１】
公共交通機関の車内の吊革取付パイプに取り付けられ、持ち帰りを可能とする取付部材を備えたことを特徴とする広告物。
【請求項２】
公共交通機関の車内の荷棚を構成するパイプに取り付けられ、持ち帰りを可能とする取付部材を備えたことを特徴とする広告物。
【請求項３】
広告物の取付部材が、公共交通機関の車内の吊革取付パイプ、若しくは、荷棚を構成するパイプを掴持する形状に形成されてなることを特徴とする広告物。
【請求項４】
広告物の取付部材が、公共交通機関の車内の吊革取付パイプ、若しくは、荷棚を構成するパイプを係止する形状に形成されてなることを特徴とする広告物。
【考案の詳細な説明】
【技術分野】
【０００１】
本考案は、電車やバス等の公共交通機関における車内に吊り下げられる広告物に係り、商品の実物を模した広告媒体、商品カタログ等を展示し、それを持ち帰るのに適する広告物に関するものである。
【背景技術】
【０００２】
電車やバス等の車内で広告を行う場合、通常、商品、イベント案内といった広告内容を印刷表示したポスターを車内の壁面に保持具を用いて挟み込んだり、吊下具で天井から吊り下げるようにしている。
【考案の開示】
【考案が解決しようとする課題】
【０００３】
しかし、ポスターを吊下具で天井から吊り下げる場合、用紙の一面または両面に商品の実物大写真を表示することも行われているが、ポスターは車内のほぼ中央で高く配置されているため、乗客が見上げなければならず、興味がなければ注目されることもないので、広告効果には限界があった。
また、ポスターのような広告物は、所定サイズの用紙に広告内容を印刷表示したものであり、商品等を写真で本物らしく表現することはできても、立体感を与えることは困難であるため、商品のイメージを一部伝えるのみで購買意欲をそそる点では不十分であった。
本考案は、上記課題に鑑みてなされたもので、公共交通機関の車内における空間をより有効に利用し、広告効果を高めて商品の購買意欲をそそり、販売促進に効果的な広告物を提供することを目的としている。
【課題を解決するための手段】
【０００４】
上記目的を達成するため、本考案の広告物は、公共交通機関の車内の吊革取付パイプに取り付けられ、持ち帰りを可能とする取付部材を備えたことを特徴とする。
また、本考案の広告物は、公共交通機関の車内の荷棚を構成するパイプに取り付けられ、持ち帰りを可能とする取付部材を備えたことを特徴とする。
また、前記広告物の取付部材としては、公共交通機関の車内吊革取付パイプ、若しくは、荷棚を構成するパイプを掴持若しくは係止する形状に形成されてなることが好ましい。
【考案の効果】
【０００５】
本考案の広告物によれば、公共交通機関の車内の吊革取付パイプあるいは荷棚を構成するパイプに取り付けられる取付部材を備えたので、吊革取付パイプに広告物を取り付けることができる。このため、車内の空間を有効に利用することができ、従来のように、ポスターを吊下具で天井から吊り下げる場合と異なって広告物を乗客が立った状態で自然に見ることができ、広告内容が注目されて広告効果が格段に高められる。
また、前記取付部材は前記パイプから容易に取り外すことができるので、広告物に例えば「ご自由にお取り下さい。」等の表示をしておけば、広告物を見て興味をもった乗客が、パイプから取付部材を取り外して広告物を持ち帰ることもできるので、これにより広告効果が格段に高められる。
また、取付部材が前記パイプを掴持する形状、もしくは係止する形状に形成されていることから、広告物を取り付ける場合には取付部材をパイプに掴持もしくは係止するだけでよく、また、広告物を交換する際には取付部材を引っ張ることで取付部材をパイプから外せるので、広告物の取り付けや交換作業が極めて簡単になる利点がある。
【考案を実施するための最良の形態】
【０００６】
以下、本考案の実施の形態について、図示例を参照しながら説明する。
図１は、実施の形態１に係る広告物を示す正面図、図２は、同広告物を吊革取付パイプに取り付けた状態を示す斜視図、図３は、同広告物を吊革取付パイプに取り付けた全体構成の説明図である。
この広告物は、電車の車内に配設された吊革取付パイプ１に、取付部材である掴持部材８およびテープ状の連接部材９を介して携帯電話機等を案内するための商品広告物６を吊り下げたものである。
吊革取付パイプ１は、通常、車内の両側部において、車両の長さ方向に沿って配設されている。そして、各吊革取付パイプ１の上面１ａには、適当な間隔をあけて多数のサドル２を固着してある。このサドル２は、吊り革３の支持に用いられる。
なお、吊り革３は、ベルト４とリング５とからなり、前記サドル２にベルト４の上端４ａが支持され、下端４ｂにリング５が掛止されている。
【０００７】
商品広告物６は、略矩形状のプラスチック製シートを用いており、これに表示部７を設けて、例えば、携帯電話機等を写真にて広告案内するようにしている（図２参照）。
この商品広告物６は、上端６ａ側にテープ状の連接部材９の幅に等しい掛止孔６ｃを開設してある。そして、上端６ａ側から下端６ｂ側にわたり、表面６ｄ側を写真の表示部７としている。
この表示部７は、携帯電話機の実物と同一サイズの写真を印刷表示している。この携帯電話機は、アンテナ、液晶表示部、テンキーおよびボタンからなる操作部等を備えたもので、新製品であることを案内するためのキャッチフレーズ、型式、メーカー名および値段等が表示部７の周囲や裏面側に表示されている。
取付部材である掴持部材８は、商品広告物６と同一材料か厚紙等で形成され、上部側に二股状の掴持片８ａ，８ｂを設ける一方、下部側はテープ状部材９との連結部８ｅとしている。掴持片８ａ，８ｂは、前記パイプ１（１１）の外径に等しい略円形の保持穴８ｃと、細幅の挿通部８ｄを開設することにより形成される。
また、連結部８ｅは略矩形状で、掴持片８ａ，８ｂに連続しているが、これに対してほぼ９０度捩じってあり、下端には掛止孔８ｆを開設している。
【０００８】
テープ状の連接部材９は、商品広告物６の吊り下げ高さを調節可能な長さを有し、厚手のビニール等で形成されている。この連接部材９は、上下両端９ａ、９ｂに接着剤を塗布する等により、接着層９ｃ，９ｃをそれぞれ設けている。なお、この接着層９ｃ，９ｃは、接着した後で剥がしても再び接着可能である。
このように形成された連接部材９は、前記商品広告物６と掴持部材８とを連結して一体化する。
まず、掴持部材８の掛止孔８ｆに連接部材９の一端９ａを、商品広告物６の掛止孔６ｃに他端９ｂをそれぞれ挿通する。
そして、連接部材９の上下両端９ａ，９ｂを図１に示すように折り返してから各接着層９ｃ，９ｃを一側面９ｄにそれぞれ接着して保持する。このときは、乗客の目の高さに商品広告物６が位置するように、連接部材９の接着層９ｃ，９ｃの接着位置を適宜調節しておく。
この後、掴持部材８の掴持片８ａ，８ｂを把持して挿通部８ｄを大きく拡げた状態で保持穴８ｃをパイプ１（１１）に通してから原形に復する。すると、図２および図３に示すように、このパイプ１（１１）を掴持片８ａ，８ｂが掴持することにより、連接部材９に商品広告物６が吊り下げられた状態となる。この際、掴持片８ａ，８ｂが容易に拡がることはないので、商品広告物６が落下することなく安定に取り付けられるものである。
また、掴持部材８は掴持片８ａ，８ｂを把持して挿通部８ｄを拡げると容易に取り外すことができるので、商品広告物６に例えば「ご自由にお取り下さい。」等の表示をしておけば、商品広告物６を見て興味をもった乗客が、パイプ１（１１）から掴持部材８を取り外して商品広告物６を持ち帰ることもできるので、これにより広告効果が格段に高められる。
【０００９】
図示の実施例では、商品広告物６は、吊り革用パイプ１と平行になるようにしている。このようにしているときは、窓の外を向いて乗車している乗客の注意をひく。窓の外を向いて乗車する乗客が多い公共交通機関の場合には、商品広告物６は吊り革用パイプ１と平行に吊り下げるのが、広告効果の点で優れている。
また本例では、前記吊り革３と吊り革３との間に、商品広告物６が吊り下げられるよう交互に配置している。これにより、乗客が吊り革３を把持して立った姿勢で携帯電話機の写真が目に入る。車内の空間の調和の点で吊り革３と吊り革３の間の１つおき等一部に吊り下げることもできる。
そして、乗客が携帯電話機の色、デザイン、機能、特徴および操作性等に加え、手の大きさとの比較もしながら価格等をも容易に知り得る状態となり、商品のイメージを実物同様に伝えることができるから、乗客の購買意欲をそそることができる。
また、掴持部材８は掴持片８ａ，８ｂを把持して挿通部８ｄを拡げると容易に取り外すことができるので、商品広告物６に例えば「ご自由にお取り下さい。」等の表示をしておけば、商品広告物６を見て興味をもった乗客が、パイプ１（１１）から掴持部材８を取り外して商品広告物６を持ち帰ることもできるので、これにより広告効果が格段に高められる。
このように、商品広告物６を取り付ける場合には掴持部材８をパイプ１（１１）に挿入するだけでよく、また、商品広告物６を交換する際には掴持部材８を引っ張ることで掴持片８ａ，８ｂをパイプ１（１１）から外せるので、商品広告物６の取り付けや交換作業が極めて簡単になる
【００１０】
図４は、実施の形態２に係る広告物構造を示す断面図である。
この広告物構造は、電車の車内に配設された荷棚用パイプ１１に、前記携帯電話機等の商品広告物６を吊り下げたものである。
荷棚用パイプ１１は、荷棚１０を構成する複数本のパイプ１２の一本であり、これらがフレーム１３間に適当な間隔をあけて固定されている。
この荷棚１０は、車内の両側部において、先端側１０ａが車内中央に延出するように基端側１０ｂを車内の壁面１４に固着している。
この商品広告物６も前記掴持部材８および連接部材９に一体化してあり、パイプ１１を掴持片８ａ，８ｂで掴持することによって保持する。この場合も連接部材９の長さを調節し、乗客の目の高さに商品広告物６を位置させる。
これにより、乗客が前記吊り革３を把持して立つか自然体でいるとき、表示部７の携帯電話機が目に入り印刷表示内容も読取可能となる。よって、前述の例と同様、乗客に対し商品のイメージを実物同様に伝えることができ、購買意欲をそそることができる。
また、前記掴持部材８は前記パイプ１１から容易に取り外すことができるので、商品広告物６に例えば「ご自由にお取り下さい。」等の表示をしておけば、商品広告物６を見て興味をもった乗客が、パイプ１１から掴持部材８を取り外して商品広告物６を持ち帰ることもできるので、これにより広告効果が格段に高められる。
ところで、前記掴持部材８は、掴持片８ａ，８ｂの下部側を捩じったが、図５に示すように、全体が偏平状の掴持部材１５を形成してもよい。なお、商品広告物６および連接部材９は前記実施の形態１と同一形状である。
この掴持部材１５は、上部側が掴持片１５ａ，１５ｂであり、保持穴１５ｃと挿通部１５ｄとを有し、下部側が掛止孔１５ｆを開設した連結部１５ｅとなっている。
この掴持部材１５は、パイプ１（１１）に掴持片１５ａ，１５ｂを掴持して商品広告物６を吊り下げたとき、パイプ１（１１）の長さ方向に対して略直角となる。このため、乗客が商品広告物６の表裏面を容易に見ることができるが、若干捩じって斜めに吊り下げられる状態としてもよい。
【００１１】
図６は、実施の形態３に係る広告物の取付具を示す展開斜視図である。
この広告物の取付具は、前記掴持部材８，１５に代えてフック状部材１６を用いたものである。
このフック状部材１６は、細長で前記連接部材９よりも幅広く形成されている。このフック状部材１６は、一端１６ａを前記パイプ１（１１）の外径に略等しい曲率半径で折り曲げてフック部１６ｃを設ける一方、他端１６ｂには、横長の掛止孔１６ｄを形成している。
このフック状部材１６は、掛止孔１６ｄに前記連接部材９の一端９ａを、広告物６の掛止孔６ｃに他端９ｂをそれぞれ挿通してから、連接部材９の接着層９ｃ，９ｃを一側面９ｄに接着して保持する。
そして、フック状部材１６のフック部１６ｃをパイプに掛止すると、このパイプにフック部１６ｃが巻き掛けられる状態で保持される。よって、広告物６が安定に吊り下げられるものである。
また、上記と逆の操作によれば、フック状部材１６を容易に取り外すことができるので、商品広告物６に例えば「ご自由にお取り下さい。」等の表示をしておけば、商品広告物６を見て興味をもった乗客が、パイプ１（１１）からフック状部材１６を取り外して商品広告物６を持ち帰ることもできるので、これにより広告効果が格段に高められる。
なお、前記フック状部材１６は、図７に示す如く広告物６を直接保持可能な形状のフック状部材１７としてもよい。このフック状部材１７は、一端１７ａ側に前述と同一のフック部１７ｃを設け、他端１７ｂ側を折り返すことにより掛止部１７ｄを形成している。
このフック状部材１７は、前記広告物６の掛止孔６ｃに掛止部１７ｄを掛止することで一体化でき、このままパイプ１（１１）にフック部１７ｃを掛止すればよいので、連接部材９を省くことができる。
このように、商品広告物６を取り付ける場合にはフック部１６ｃ，１７ｃをパイプ１（１１）に掛けるだけでよく、また、商品広告物６を交換する際にはフック状部材１６，１７を持ち上げることでフック部１６ｃ，１７ｃをパイプ１（１１）から外せるので、商品広告物６の取り付けや交換作業が極めて簡単になる。
【００１２】
図８は、実施の形態４に係る広告物の取付具を示す展開斜視図である。
この広告物の取付具は、前記フック状部材１６や１７に代えてクリップ１８を用いたものである。
このクリップ１８は、ピン１８ａ、スプリング１８ｂおよび１対の挟持部材１９，２０により形成されている。このクリップ１８は、挟持部材１９，２０をピン１８ａで結合し、スプリング１８ｂを取り付けることにより一体化される。
このクリップ１８は、挟持部材１９，２０の一端側がパイプ１（１１）を挟む挟持部１９ａ，２０ａであり、他端側が把持部１９ｂ，２０ｂとなっている。なお、一方の把持部１９ｄに、略円形の掛止孔１９ｃを設けている。
このように構成されたクリップ部材１８は、掛止孔１９ｃに前記広告物６を一体化した連接部材９の一端９ａを挿通してから、その接着層９ｃを一側面９ｄに接着して保持する。
そして、把持部１９ｂ，２０ｂを把持して挟持部１９ａ，２０ａをパイプ１（１１）に挟持すると、このパイプにクリップ１８が保持される。よって、広告物６が強固に吊り下げられるものである。
また、上記と逆の操作を行えばクリップ１８を簡単に取り外すことができるので、商品広告物６に例えば「ご自由にお取り下さい。」等の表示をしておけば、商品広告物６を見て興味をもった乗客が、パイプ１（１１）からクリップを取り外して商品広告物６を持ち帰ることもできるので、これにより広告効果が格段に高められる。
【００１３】
図９は、実施の形態５に係る広告物の取付具を示す展開斜視図である。
この広告物の取付具は、フック部２２に連結部２３を備えたフック状部材２１である。
このフック状部材２１は、一端２２ａ側全体を前記パイプ１（１１）の外径に略等しい曲率半径で湾曲させてフック部２２を形成している。なお、一端２２ａは、外方に折り曲げてある。そして、フック部２２の外周縁には、略円形の把持耳２２ｂを一体形成してあり、指で把持して着脱可能になっている。
連結部２３は、略楕円形の環状で、上部側をフック部２２の下端に連結することにより一体化している。なお、連結部２３の掛止穴２３ａは、下端縁２３ｂを偏平にしてある。
このように構成されたフック状部材２１は、連結部２３の掛止穴２３ａに前記広告物６を一体化した連接部材９の一端９ａを挿通してから、その接着層９ｃを一側面９ｄに接着して保持する。このとき、下端縁２３ｂが偏平となっているので、連接部材９が位置ずれすることはない。
この状態で、フック部２２の把持耳２２ｂを把持し、図１０に示すように、一端２２ａをパイプ１（１１）に臨ませ、図１１に示す如くに掛止する。これにより、広告物６が安定よく吊り下げられ、その表面側がパイプ１（１１）と平行になるので、乗客の目に触れやすい状態となる。
また、上記と逆の操作を行えばフック状部材２１を容易に取り外すことができるので、商品広告物６に例えば「ご自由にお取り下さい。」等の表示をしておけば、商品広告物６を見て興味をもった乗客が、パイプ１（１１）からフック状部材２１を取り外して商品広告物６を持ち帰ることもできるので、これにより広告効果が格段に高められる。
【００１４】
次に、上記取付具により取り付けられる広告物の例について説明する。
図１２は、広告商品としてカメラを表示する広告物の正面図である。
この広告物２４は、前記広告物６と同じく上部側に前記連接部材９を挿通して掛止するための掛止孔２４ｃを開設してあるが、全体は広告内容に応じた形状になっている。
すなわち、表面の上部側２４ａに「プレゼント」の文字を記した文字表示部２４ｄが、下部側２４ｂにカメラの写真を印刷した写真表示部２４ｅが一体化されている。よって、広告物２４自体は平板状であるが、カメラを実物のようにアピールできるものである。
図１３は、広告商品として缶飲料を表示する広告物の斜視図、図１４は、同広告物の正面図である。
この広告物２５は、上部側２５ａに前記連接部材９を挿通して掛止するための掛止孔２５ｃを開設し、表面側に缶飲料表示部２５ｄを設けている。この缶飲料表示部２５ｄは、前記各実施の形態と同じ合成樹脂材のシート体または厚紙を用いており、偏平な本体部と略半円筒状の缶飲料表示部２５ｄとを形成してから一体化するか、シート体の場合は全体を成形加工により形成する。
そして、図１４に示すように、表面の上部側２５ａに「新しいお茶」の文字を表示したり、缶飲料表示部２５ｄに商品名「のほほん」をデザインしておく。
このように、広告物２５は、缶飲料表示部２５ｄによって、お茶の缶を実物に等しく表示することができるものである。
【００１５】
なお、上記広告物は、図１５に示すように製作してもよい。
この広告物２６は、細長のシート体を用いたもので、このシート体を成形加工することにより、商品を立体的に表示するようになっている。
この広告物２６を製作する際は、シート体を中央で二分し、図１５（ａ）に示すように、各部を略矩形状に凹陥し、それぞれに膨出部２６ｄを形成する。また、シート体の両端に、掛止孔２６ｃを開設しておく。
そして、このシート体は、図１５（ｂ）に示すように、膨出部２６ｄを外側にし中央で折り曲げることにより、相互を重ね合わせる。このとき、内側部分を接着剤により接着するか、外周縁部を熱融着して一体化する。
これにより、広告物２６が立体形状となって、全体にボリューム感が生じる。よって、膨出部２６ｄに広告商品をデザインすることにより、実物に近い商品の展示を行うことができる。
【００１６】
図１６は、広告商品として薬品を表示する広告物の斜視図、図１７は、同広告物の展開図である。
この広告物２７は、厚紙を用いて薬品箱の模造品を立体的に形成するようになっている。
この広告物２７を製作する際は、１枚の厚紙を用い、図１７に示すような形状にカットして本体部２７ａと薬品箱部２７ｄとを作る。本体部２７ａの上部側には、掛止孔２７ｃを開設し、薬品箱部２７ｄには、折り線２７ｅとのり代２７ｆとを設けている。
そして、薬品箱部２７ｄを折り線２７ｅに従って折り曲げた後、のり代２７ｆを接着することにより、本体部２７ａの右側に矩形状の箱を備えた広告物２７を形成する。
この広告物２７は、図１８に示す如く本体部２７ａの表面に「新発売」の文字を記するとともに、薬品箱部２７ｄの表面全体に実物と同じ薬品名や内容等を表示することにより、新製品の効能をアピールすることができる。
【００１７】
図１９は、広告商品として化粧品を表示する広告物の斜視図である。
この広告物２８は、化粧品の実物であり、支持シート２９と支持リング３０とを用いて、前記連接部材９に取り付けるようになっている。
化粧品２８は、チューブ状になっており、表面に化粧品名、用途および効用等を表示してある。また、支持シート２９は、化粧品２８を懸吊支持するもので、半円状のシートを２枚用いている。
このシートは、表面側にキャッチフレーズ等を表示し、各裏面に接着層を設けている。そして、直線状となっている各シートの端縁側で化粧品２８の下端縁を挟む一方、彎曲状の頂部側で支持リング３０を挟持した状態で接着層を貼り合わせる。
この後、支持リング３０を前記連接部材９の他端９ｂ側に接し、この他端９ｂ側を折り返すことにより、その接着層９ｃを一側面９ｄ側に接着して保持する。この状態で、取付具２１のフック部２２をパイプ１（１１）に掛止すると、化粧品２８が支持シート２９、支持リング３０および連接部材９により安定よく吊り下げられる。
このように取り付けられる化粧品２８は、予め中身を抜いてあるが、乗客に実物そのものを示すことができるものである。
【００１８】
なお、前記支持シート２９は、各種の実物を吊り下げ可能に、図２０に示すような支持シート３１を形成してもよい。
この支持シート３１も、シートまたは厚紙を用い、半円状にカットしたものを２枚１組とする。そして、半円状の頂部側に掛止孔３１ｃをそれぞれ開設し、各裏面を接着層３１ｂとしておく。また、図２１に示すように、表面３１ａ側には、広告物３２に応じた文字「新発売」等を表示する。
この広告物３２は、スナック菓子等の食品の実物であり、上部側に支持シート３１を接着して一体化する。そして、掛止孔３１ｃに前記連接部材９を通して保持すると、食品３２が安定よく吊り下げられて、乗客に実物そのものを提示することができるものである。
【００１９】
図２２は、実施の形態６に係る広告物を示す正面図、図２３は、同広告物を示す側面図である。
この広告物は、取付部材であるハンガー部材４１により商品広告物４２を前記吊革取付パイプ１または荷棚用パイプ１１に取り付ける構成となっている。
ハンガー部材４１は、プラスチック材により形成され、一端４１ａ側をパイプ１（１１）の外径より若干大きめの曲率半径で彎曲させ、フック部４１ｃを設けている。また、他端４１ｂ側は、折り返して先端に突起を有する掛止部４１ｄを形成している。
なお、フック部４１ｃは、一端４１ａ側を外方に向けて屈曲してあり、外周縁には突出部４１ｅを設けて、対向する内周面に凹所４１ｆを生じさせている。
【００２０】
また、商品広告物４２は、実物商品に模した形状とするため、本体部４３に模造商品部４４を設けたもので、プラスチック製シートや厚紙等で一体的に形成している。本体部４３は、一端４３ａに掛止孔４３ｃを開設しており、略中央部と他端４３ｂの間に模造商品部４４を設けている。
この模造商品部４４は、広告対象の商品に合わせて本体部４３の表面側を略矩形状に膨出させることにより、ボリューム感を持たせている。
このように形成された商品広告物４２は、掛止孔４３ｃをハンガー部材４１の掛止部４１ｄに掛止して一体化しておく。
そして、図２４に示すように、ハンガー部材４１の一端４１ａをパイプ１（１１）に接してフック部４１ｃを矢印方向に下動させる。すると、凹所４１ｆがあるために一端４１ａが外方に拡がり易くなり、フック部４１ｃが掛止時に折れることなく、パイプ１（１１）に保持される。よって、商品広告物４２がパイプ１（１１）に対し安定に吊り下げられるものである。
【００２１】
図２５は、実施の形態７に係る広告物を示す正面図、図２６は、同広告物を示す側面図である。
この広告物は、取付部材であるハンガー部材５１とベルト部材５２とを備え、前記商品広告物４２と一体化する構成となっている。
ハンガー部材５１は、略Ｕ字状でパイプ１（１１）の外径より若干大きめの曲率半径に形成されている。このハンガー部材５１は、両端部５１ａ，５１ｂを外方に折曲してある。また、外周縁を突出させて突出部５１ｃを設けることにより、対向する内周面に凹所５１ｄを生じさせている。
ベルト部材５２は、前記商品広告物４２の掛止孔４３ｃより幅狭の帯状で、商品広告物４２の吊り下げ高さを調節可能な長さに形成されている。
このベルト部材５２は、商品広告物４２の掛止孔４３ｃに挿通した後、図２７に示すように、一端５２ａをパイプ１（１１）の周面に沿わせ、次に、他端５２ｂをこれに重ねる。
この状態で、ハンガー部材５１の両端部５１ａ，５１ｂをベルト部材５２の上にあてがい、矢印の方向に下動させる。すると、凹所５１ｄがあるために両端部５１ａ，５１ｂが外方に拡がり易くなり、ハンガー部材５１が折れることもなく、パイプ１（１１）に保持される。
これにより、ベルト部材５２の両端５２ａ，５２ｂ部分がハンガー部材５１で強固に挟持される。よって、商品広告物４２が安定に吊り下げられるものである。
【００２２】
図２８は、実施の形態８に係る広告物を示す外観図である。この広告物は、取付部材である掴持部材６１に係止具６２を介して商品広告物６３を吊り下げたものである。
商品広告物６３は、上縁部が開口された長方形状の透明袋６３ａと、この透明袋６３ａ内に収納された広告物本体６３ｂとを備え、透明袋６３ａの上端には円形の掛止孔６３ｃが形成されている。
掴持部材６１は、可撓性の合成樹脂から形成され、上部には二股状の掴持片６１ａ，６１ｂが形成されるとともに、下部には掴持片６１ａ，６１ｂと一体に形成された略矩形状の連結部６１ｃが形成されている。掴持片６１ａ，６１ｂは、前記パイプ１（１１）の外径に等しい略円形の保持穴６１ｄと細幅の挿通部６１ｅが形成されるとともに、その両端部が外側に折曲されている。また、連結部６１ｃの下端には横長の掛止孔６１ｆが形成されている。
係止具６２は、挿通孔（図示せず）を有するソケット部６２ａと、該ソケット部６２ａから延びる線状部６２ｂと、該線状部６２ｂの端部に設けた、前記挿通孔に係止可能な挿通頭部（図示せず）とからなり、プラスチック材により一体的に形成されている。
【００２３】
本実施形態にかかる広告物は、係止具６２の線状部６２ｂを透明袋６３ａと掴持部材６１にそれぞれ形成された掛止孔６３ｃ，６１ｆに挿通して、前記線状部６２ｂの端部に形成された挿通頭部を前記ソケット部６２ａの挿通孔に挿通することにより形成される。
そして、掴持部材６１の掴持片６１ａ，６１ｂを把持して挿通部６１ｅを拡げた状態で保持穴６１ｄをパイプ１（１１）に通してから原形に復する。すると、商品広告物６３は、掴持部材６１および係止具６２を介してパイプ１（１１）に吊り下げられた状態となる。この際、掴持片６１ａ，６１ｂが容易に拡がることはないので、商品広告物６３は落下することなく安定に取り付けられる。そして、商品広告物６３は係止具６２の線状部６２ｂに吊り下げられるので、電車等の走行時の震動により商品広告物６３が揺れて広告効果がより高くなる。
また、掴持部材６１は掴持片６１ａ，６１ｂを把持して挿通部６１ｅを拡げると簡単に取り外すことができるので、商品広告物６３に例えば「ご自由にお取り下さい。」等の表示をしておけば、商品広告物６３を見て興味をもった乗客が、パイプ１（１１）から掴持部材６１を取り外して商品広告物６３を持ち帰ることもできるので、これにより広告効果が格段に高められる。
【００２４】
なお、上記各実施の形態においては、電車の車内に携帯電話機を保持した商品広告物を吊り下げる場合について説明したが、吊革取付パイプ１や荷棚用パイプ１１に吊り下げられる形状であれば、実物のあらゆる模造品は勿論、実物も展示することが可能である。
また、電車の車内に広告物を設ける場合について説明したが、乗合バスや客船といった公共交通機関の車内にも広く適用し得ることは勿論である。
【図面の簡単な説明】
【００２５】
【図１】本考案の実施の形態１に係る広告物を示す正面図である。
【図２】同広告物を吊革取付パイプに取り付けた状態を示す斜視図である。
【図３】同広告物を吊革取付パイプに取り付けた全体構成の説明図である。
【図４】実施の形態２に係る広告物を示す断面図である。
【図５】同広告物の取付具の変形例を示す正面図である。
【図６】実施の形態３に係る広告物を示す展開斜視図である。
【図７】同広告物の取付具の変形例を示す正面図である。
【図８】実施の形態４に係る広告物を示す展開斜視図である。
【図９】実施の形態５に係る広告物を示す展開斜視図である。
【図１０】同広告物をパイプに取り付ける状態を示す説明図である。
【図１１】同広告物をパイプに取り付けた状態を示す説明図である。
【図１２】カメラを表示した例を示す広告物の正面図である。
【図１３】缶飲料を表示した例を示す広告物の斜視図である。
【図１４】同商品広告物を示す正面図である。
【図１５】商品広告物の作成例を示す工程説明図である。
【図１６】薬品の紙箱を展示した広告物及びその取付具を示す斜視図である。
【図１７】同広告物の組み立て前状態を示す説明図である。
【図１８】同広告物の組み立て状態を示す説明図である。
【図１９】化粧品の実物を展示した例を示す広告物の正面図である。
【図２０】広告物の取付具の一例を示す展開図である。
【図２１】同取付具によりスナック菓子が保持された状態を示す正面図である。
【図２２】実施の形態６に係る広告物を示す正面図である。
【図２３】同広告物を示す側面図である。
【図２４】同広告物の取付状態を示す説明図である。
【図２５】実施の形態７に係る広告物を示す正面図である。
【図２６】同広告物を示す側面図である。
【図２７】同広告物の取付状態を示す説明図である。
【図２８】実施の形態８に係る広告物を示す外観図である。
【符号の説明】
【００２６】
１  吊革取付パイプ
６  商品広告物
８  取付部材
９  連接部材
【図１】
0003109038.tif 000003
【図２】
0003109038.tif 000004
【図３】
0003109038.tif 000005
【図４】
0003109038.tif 000006
【図５】
0003109038.tif 000007
【図６】
0003109038.tif 000008
【図７】
0003109038.tif 000009
【図８】
0003109038.tif 000010
【図９】
0003109038.tif 000011
【図１０】
0003109038.tif 000012
【図１１】
0003109038.tif 000013
【図１２】
0003109038.tif 000014
【図１３】
0003109038.tif 000015
【図１４】
0003109038.tif 000016
【図１５】
0003109038.tif 000017
【図１６】
0003109038.tif 000018
【図１７】
0003109038.tif 000019
【図１８】
0003109038.tif 000020
【図１９】
0003109038.tif 000021
【図２０】
0003109038.tif 000022
【図２１】
0003109038.tif 000023
【図２２】
0003109038.tif 000024
【図２３】
0003109038.tif 000025
【図２４】
0003109038.tif 000026
【図２５】
0003109038.tif 000027
【図２６】
0003109038.tif 000028
【図２７】
0003109038.tif 000029
【図２８】
0003109038.tif 000030
【手続補正書】
【提出日】平成16年12月21日(2004.12.21)
【手続補正１】
【補正対象書類名】実用新案登録請求の範囲
【補正対象項目名】全文
【補正方法】変更
【補正の内容】
【実用新案登録請求の範囲】
【請求項１】
公共交通機関の車内の吊革取付パイプ、若しくは荷棚を構成するパイプに取り付けられ、持ち帰りを可能とする取付部材を備えた広告物であって、
取付部材である掴持部材は、プラスチック製シートか厚紙等で形成され、上部側に二股状の掴持片が設けられてなる一方、下部側に連接部材との連結部が形成されており、
掴持片は、前記パイプの外径に等しい略円形の保持穴と、細幅の挿通部を開設することにより形成されており、
広告物は、連接部材を介して掴持部材に連結される
ことを特徴とする公共交通機関の車内広告物。
【請求項２】
公共交通機関の車内の吊革取付パイプ、若しくは荷棚を構成するパイプに取り付けられ、持ち帰りを可能とする取付部材を備えた広告物であって、
取付部材であるフック状部材は、上部側が、前記パイプの外径に略等しい曲率半径を有する比較的幅広のフック部とされており、
フック状部材の下部に、広告物を直接保持可能な掛止部、又は広告物を連接部材を介して保持可能な掛止穴が形成されている
ことを特徴とする公共交通機関の車内広告物。
【請求項３】
公共交通機関の車内の吊革取付パイプ、若しくは荷棚を構成するパイプに取り付けられ、持ち帰りを可能とする取付部材を備えた広告物であって、
取付部材であるハンガー部材は、プラスチック材により形成され、パイプの外径より若干大きめの曲率半径で彎曲形成されたフック部を備え、
フック部は、外周縁に突出部を設けて、対向する内周面に凹所を生じさせており、
商品広告物は、ハンガー部材に掛止、又は長さ調節可能なベルト部材により取り付けられる
ことを特徴とする公共交通機関の車内広告物。